(57)【要約】【課題】通話に関する各種の機能を容易に活用することを可能にする。【解決手段】１つの態様において、携帯電子機器（例えば、スマートフォン）１は、通信ユニット６と、ディスプレイ２Ａと、コントローラ１０とを備える。通信ユニット６は、通話のための通信を行う。ディスプレイ２Ａは、通信ユニット６による通話中に第１の画面を表示する。コントローラ１０は、通話中に第１の画面の表示を消したのちに当該通話中に、表示を消したディスプレイ２Ａを再び表示させる場合に、第１の画面とは異なる第２の画面をディスプレイ２Ａに表示させる。【選択図】図４
2014229933.tif 000002
【特許請求の範囲】
【請求項１】
通話のための通信を行う通信ユニットと、
前記通信ユニットによる通話中に第１の画面を表示するディスプレイと、
前記通話中に前記第１の画面の表示を消したのちに当該通話中に、表示を消した前記ディスプレイを再び表示させる場合に、前記第１の画面とは異なる第２の画面を表示させるコントローラと、
を備える携帯電子機器。
【請求項２】
前記第２の画面は、自機を制御するための画面である請求項１に記載の携帯電子機器。
【請求項３】
通信ユニットと、ディスプレイとを備える携帯電子機器の制御方法であって、
前記通信ユニットにより通話のための通信を行うステップと、
前記通信ユニットによる通話中に第１の画面を前記ディスプレイに表示するステップと、
前記通話中に、前記第１の画面を表示している前記ディスプレイの表示を消すステップと、
前記通話中に、表示を消した前記ディスプレイを再び表示させる場合に、前記第１の画面とは異なる第２の画面を表示させるステップと
を含む備える制御方法。
【請求項４】
通信ユニットと、ディスプレイとを備える携帯電子機器に、
前記通信ユニットにより通話のための通信を行うステップと、
前記通信ユニットによる通話中に第１の画面を前記ディスプレイに表示するステップと、
前記通話中に、前記第１の画面を表示している前記ディスプレイの表示を消すステップと、
前記通話中に、表示を消した前記ディスプレイを再び表示させる場合に、前記第１の画面とは異なる第２の画面を表示させるステップと
を実行させる制御プログラム。
【発明の詳細な説明】
【技術分野】
【０００１】
本出願は、携帯電子機器、制御方法及び制御プログラムに関する。
【背景技術】
【０００２】
携帯電話機、スマートフォン等の携帯電子機器には、通話に関連して、自機を制御することにより様々な機能を実現するものがある。例えば、特許文献１には、レシーバ等から出力される音声の周波数特性及びレベルを年齢による聴覚変化に合わせて補正する音声補正機能（音質調整機能）付き移動機が開示されている。
【先行技術文献】
【特許文献】
【０００３】
【特許文献１】特開２０００−２０９６９８号公報
【発明の概要】
【発明が解決しようとする課題】
【０００４】
通話は、通話相手との間でリアルタイムに行われる通信であり、相手を待たせること、及び通話を誤って切断すること等はできるだけ生じないようにすることが好ましい。このため、通話に関する操作画面では、迅速な操作を可能にしつつ、誤操作が生じる可能性を低減することが非常に重要である。その結果、通話に関する操作画面は、一般に、シンプルに構成される。
【０００５】
しかしながら、単に画面をシンプルにするだけでは、通話に関して、少数の機能のための操作を迅速かつ確実に行うことは可能になるものの、他の機能のための操作が却って困難になる場合がある。例えば、通話に関して、発信及び受信に関する操作を迅速かつ確実に行うことができるものの、音質調整機能に関しては、深いメニュー階層を辿らなければ操作画面を表示させることができず、機能を容易に活用することができない場合がある。
【０００６】
このような理由から、通話に関する各種の機能を容易に活用することを可能にする携帯電子機器、制御方法及び制御プログラムに対するニーズがある。
【課題を解決するための手段】
【０００７】
１つの態様に係る携帯電子機器は、通話のための通信を行う通信ユニットと、前記通信ユニットによる通話中に第１の画面を表示するディスプレイと、前記通話中に前記第１の画面の表示を消したのちに当該通話中に、表示を消した前記ディスプレイを再び表示させる場合に、前記第１の画面とは異なる第２の画面を表示させるコントローラと、を備える。
【０００８】
１つの態様に係る制御方法は、通信ユニットと、ディスプレイとを備える携帯電子機器の制御方法であって、前記通信ユニットにより通話のための通信を行うステップと、前記通信ユニットによる通話中に第１の画面を前記ディスプレイに表示するステップと、前記通話中に、前記第１の画面を表示している前記ディスプレイの表示を消すステップと、前記通話中に、表示を消した前記ディスプレイを再び表示させる場合に、前記第１の画面とは異なる第２の画面を表示させるステップとを含む。
【０００９】
１つの態様に係る制御プログラムは、通信ユニットと、ディスプレイとを備える携帯電子機器に、前記通信ユニットにより通話のための通信を行うステップと、前記通信ユニットによる通話中に第１の画面を前記ディスプレイに表示するステップと、前記通話中に、前記第１の画面を表示している前記ディスプレイの表示を消すステップと、前記通話中に、表示を消した前記ディスプレイを再び表示させる場合に、前記第１の画面とは異なる第２の画面を表示させるステップとを実行させる。
【図面の簡単な説明】
【００１０】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、スマートフォンによる通話の着信に係る制御の例を示す図である。
【図６】図６は、スマートフォンによる通話の発信に係る制御の例を示す図である。
【図７】図７は、スマートフォンによる制御の処理手順の例を示すフローチャートである。
【図８】図８は、スマートフォンによる通話の着信に係る制御の他の例を示す図である。
【図９】図９は、音質調整の設定が可能に構成された着信画面の例を示す図である。
【発明を実施するための形態】
【００１１】
本発明を実施するための実施形態を、図面を参照しつつ詳細に説明する。以下では、携帯電子機器の例として、スマートフォンについて説明する。
【００１２】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１５】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１８】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、及びダブルタップを含むがこれらに限定されない。
【００１９】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００２０】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２１】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２２】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２３】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２４】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２５】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００２６】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２７】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００２８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３０】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３１】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３２】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３３】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００３４】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３６】
ストレージ９は、例えば、制御プログラム９Ａ、音質調整プログラム９Ｂ、電話アプリケーション９Ｃ、コンタクトデータ９Ｙ、及び設定データ９Ｚを記憶する。音質調整プログラム９Ｂは、出力する音質を調整するための音質調整機能を提供する。電話アプリケーション９Ｃは、他の電子機器との間で通話を行うための通話機能を提供する。コンタクトデータ９Ｙは、スマートフォン１の利用者が他の人物と連絡を取るための情報を含む。設定データ９Ｚは、スマートフォン１の動作に関する各種の設定に関する情報を含む。
【００３７】
音質調整プログラム９Ｂは、例えば、通話中に出力される相手の音声の音質を調整するために用いられる。音質調整プログラム９Ｂが有する音質調整機能には、例えば、話速変換機能、ノイズキャンセル機能、音域調整機能等を含む。話速変換機能は、無音区間を利用して、話速をゆっくりとさせる機能である。話速変換機能は、例えば、通話の相手の音声をバッファリングし、バッファリングされた音声の無声区間以外の部分を、無声区間を埋めるようにピッチを延ばして再生することにより実現される。ノイズキャンセル機能は、相手から送信される音声信号に含まれるノイズを低減する。ノイズキャンセル機能は、例えば、ノイズに相当する周波数の信号をカット又は抑制することにより実現される。音域調整機能は、高音が聞こえにくい、又は低音が聞こえにくいというように特定の周波数を聞き取りにくい利用者向けに、音域（周波数帯）毎に音量を調整する。このような音質調整機能は、特に、聴覚に障害を有する利用者、聴覚が衰えた利用者、及び音声を聞き取りにくい環境にいる利用者に有効である。
【００３８】
コンタクトデータ９Ｙは、他の人物と連絡を取るための情報を含む。コンタクトデータ９Ｙは、例えば、人物の電話番号を含む。コンタクトデータ９Ｙは、家の電話番号、勤務先の電話番号、携帯電話の電話番号というように、同一の種類の通信サービスに関する複数の情報を同一の人物に対応付けて保持してもよい。また、コンタクトデータ９Ｙは、上記の情報以外に、例えば、メールアドレス、画像データ、住所、勤務先、生年月日等の各種の個人情報を含んでもよい。
【００３９】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、音質調整プログラム９Ｂ及び電話アプリケーション９Ｃ等の他のプログラムが提供する機能と組み合わせて利用されることがある。
【００４０】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００４１】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、及びジャイロスコープ１７を含むが、これらに限定されない。
【００４２】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４３】
カメラ１２は、フロントフェイス１Ａに面している物体を撮影するインカメラである。カメラ１３は、バックフェイス１Ｂに面している物体を撮影するアウトカメラである。
【００４４】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４５】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００４６】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４７】
図４に示したスマートフォン１の構成は例であり、本発明の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４８】
図５を参照しながら、スマートフォン１による通話の着信に係る制御について説明する。図５は、スマートフォンによる通話の着信に係る制御の例を示す図である。以下の説明においては、同様の構成要素に同一の符号を付し、重複する説明は省略することがある。
【００４９】
スマートフォン１は、相手側の電子機器からの着信を検出すると、ステップＳ１１として、着信中を示す着信画面６０ａをタッチスクリーンディスプレイ２（ディスプレイ２Ａ）に表示する。スマートフォン１は、着信画面６０ａを表示するとともに、着信音、振動、ランプの点滅等によって、利用者に着信を報知してもよい。
【００５０】
着信画面６０ａは、ボタン６１ａ、６１ｂ、６１ｃ、６１ｄ及び６５と、表示領域６２、６３及び６４とを含む。
【００５１】
ボタン６１ａは、音質調整機能を設定するためのボタンである。ボタン６１ｂは、音声の出力先をレシーバ７からスピーカ１１へ切り替えるためのボタンである。ボタン６１ｃは、少なくとも「０」から「９」の１０個の数字に対応したキーオブジェクトを含むダイアル（キーパッド）をディスプレイ２Ａに表示させるためのボタンである。ボタン６１ｄは、通話に関する各種の機能を呼び出すためのメニューをディスプレイ２Ａに表示させるためのボタンである。ボタン６５は、着信に応答するためのボタンである。ボタン６５は、着信に応答するためにタップではなく、ドラッグ等の他の操作を受け付けるオブジェクトであってもよい。
【００５２】
着信画面６０ａにおいて、ボタン６１ａ、６１ｂ、６１ｃ、６１ｄは、画面の下端部に小さく配置され、ボタン６５は、その上方に大きく配置される。このため、利用者は、着信画面６０ａにおいて最も重要な操作である応答を容易に実行することができる。このことは、相手を待たせることなく、迅速かつ確実に応答することを可能にする。
【００５３】
表示領域６２には、音質調整機能に含まれる機能のうち、利用者によって有効化された機能に対応したアイコンが表示される。表示領域６３には、着信相手に関する情報が表示される。表示領域６４には、着信中であることを示すメッセージが表示される。図５に示す例では、着信相手がコンタクトデータ９Ｙに登録されている山田太郎さんであるものとする。この場合、スマートフォン１は、ステップＳ１１に示すように、コンタクトデータ９Ｙに登録されている山田太郎さんの画像データを表示領域６３に表示し、コンタクトデータ９Ｙに登録されている山田太郎さんの名前をメッセージの一部として表示領域６４に表示する。
【００５４】
着信画面６０ａにおいて、表示領域６３及び表示領域６４は、着信画面６０ａの領域の大きな部分を占めている。このことは、利用者が、誰から着信があったのかを迅速に把握することを可能にする。
【００５５】
このように、着信画面６０ａは、利用者が、誰から着信があったのかを迅速に把握し、迅速かつ確実に応答することができるように、シンプルに構成されている。
【００５６】
ステップＳ１１では、着信に気付いた利用者は、着信画面６０ａのボタン６５をタップすることで、オフフック操作を行う。オフフック操作は、着信に応じて通話を開始するための操作である。スマートフォン１は、ボタン６５に対するタップを検出すると、ステップＳ１２として、通話処理を開始し、通話中を示す通話画面６０ｂをディスプレイ２Ａに表示する。通話処理には、例えば、相手から送信される音声信号をレシーバ７等から出力する処理、利用者の音声を音声信号に変換して相手へ送信する処理、及び通話の終了を検出する処理等が含まれる。
【００５７】
通話画面６０ｂは、ボタン６１ａ、６１ｂ、６１ｃ、６１ｄ及び６７と、表示領域６２、６３及び６６とを含む。ボタン６７は、通話を切断するためのボタンである。
【００５８】
通話画面６０ｂにおいて、ボタン６１ａ、６１ｂ、６１ｃ、６１ｄは、画面の下端部に小さく配置され、ボタン６７は、その上方に大きく配置される。このため、利用者は、通話画面６０ｂにおいて最も重要な操作である通話の切断を容易に実行することができる。このことは、迅速かつ確実に通話を切断することを可能にする。
【００５９】
表示領域６６には、通話中であることを示すメッセージが表示される。ステップＳ１２では、スマートフォン１は、通話中の相手が山田太郎さんであることを示すために、山田太郎さんの画像データを表示領域６３に表示し、山田太郎さんの名前をメッセージの一部として表示領域６６に表示する。
【００６０】
通話画面６０ｂにおいて、表示領域６３及び表示領域６６は、通話画面６０ｂの領域の大きな部分を占めている。このことは、利用者が、誰と通話中であるのかを確実に把握することを可能にする。
【００６１】
このように、通話画面６０ｂは、利用者が、誰と通話中であるのかを迅速に把握し、迅速かつ確実に通話を切断することができるように、シンプルに構成されている。
【００６２】
その後、利用者は、レシーバ７から出力される相手の音声を聞くために、通話画面６０ｂを表示しているスマートフォン１を耳に近付ける。スマートフォン１は、近接センサ５によって近接する物体の存在を検出すると、ステップＳ１３として、ディスプレイ２Ａの表示が消された状態となる。表示が消された状態において、スマートフォン１は、ディスプレイ２Ａの表示を消し、タッチスクリーン２Ｂを無効化する。これにより、スマートフォン１は、タッチスクリーン２Ｂに対する利用者の耳等の接触を画面に対する操作として検出して誤動作する可能性を低減でき、さらに電力消費を小さくすることができる。
【００６３】
通話中にディスプレイ２Ａの表示が消された状態は、いわゆるロック状態とは異なる。ロック状態では、使用されていないスマートフォン１の誤動作を低減し、電力消費を低減するために、ディスプレイ２Ａの表示が消され、タッチスクリーン２Ｂが無効化される。このため、スマートフォン１は、ロック状態を解除する際には、利用者がスマートフォン１の使用を開始する意思があるか否かを確認するために、ロック画面を表示する。そして、ロック画面の表示中に所定の操作を検出しなければ、通常の利用状態に復帰しない。一方、通話中にディスプレイ２Ａの表示が消された状態では、スマートフォン１は、使用中であることが前提であるので、使用開始の意思を確認するロック画面を表示することなく、通常の利用状態に復帰する。
【００６４】
利用者は、通話相手の音声が聞き難い場合に、音質調整機能を設定する。音質調整機能の設定は、画面操作を通じて行われる。利用者が画面操作のためにスマートフォン１を耳から離すと、スマートフォン１は、近接センサ５を介して近接する物体が存在しなくなったことを検出する。通話中に近接する物体が存在しなくなったことを検出した場合、スマートフォン１は、ステップＳ１４として、ディスプレイ２Ａを再び表示し、タッチスクリーン２Ｂを有効化する。このとき、スマートフォン１は、通話に関連して自機を制御するための画面をディスプレイ２Ａに表示する。スマートフォン１は、通話に関連して自機を制御するための画面として、例えば、音質調整画面６０ｃをディスプレイ２Ａに表示する。
【００６５】
音質調整画面６０ｃは、相手の音声の音質を制御するための画面である。音質調整画面６０ｃは、ディスプレイ２Ａの表示が消された状態となる前に、ディスプレイ２Ａが表示していた通話画面６０ｂとは異なる画面である。なお、「異なる画面」とは、ピクト、アイコン、ボタン等の他の画面と共有される要素以外の他の要素において相違がある画面を言う。「他の要素において相違がある画面」には、他の要素が追加された画面、他の要素が削除された画面、及び一部の要素が削除された画面を含む。
【００６６】
音質調整画面６０ｃは、ボタン６１ａ、６１ｂ、６１ｃ、６１ｄ、６８ａ、６８ｂ、６８ｃ及び６９と、表示領域６２とを含む。ボタン６８ａは、話速変換機能を設定するためのボタンである。ボタン６８ｂは、ノイズキャンセル機能を設定するためのボタンである。ボタン６８ｃは、音域調整機能を設定するためのボタンである。ボタン６９は、通話を切断するためのボタンである。
【００６７】
音質調整画面６０ｃにおいて、ボタン６１ａ、６１ｂ、６１ｃ、６１ｄは、画面の下端部に小さく配置され、ボタン６９は、その上方に大きく配置される。そして、そのさらに上方の、表示領域６３及び６４が設けられていた領域には、ボタン６８ａ、６８ｂ及び６８ｃが配置される。
【００６８】
このように、スマートフォン１は、通話中にディスプレイ２Ａを再び表示する場合に、音質調整機能に対応するボタンを画面上に表示する。このように、音質調整機能に対応するボタンを画面上に表示することにより、利用者は、通話中に音質調整機能を容易に設定することができる。その結果、音質調整機能を容易に活用することが達成される。
【００６９】
音質調整画面６０ｃの表示中にボタン６１ｂ、６１ｃ、及び６１ｄのいずれかが操作された場合、スマートフォン１は、音質調整機能を一時的に無効化する。ボタン６１ｂが操作された場合、スピーカ１１からの音声の出力が停止されるまで、スマートフォン１は、音質調整機能を一時的に無効化する。これにより、レシーバ７からの出力向けに調整された音声がスピーカ１１から出力され、利用者に聞き難くなる事態を回避できる。ボタン６１ｃが操作された場合、表示したキーパッドが消去されるまで、スマートフォン１は、音質調整機能を一時的に無効化する。これによって、キーパッドの操作時にスピーカ１１等から出力される操作音が聞き難くなる事態を回避できる。ボタン６１ｄが操作された場合、表示したメニューが閉じられるまで、スマートフォン１は、音質調整機能を一時的に無効化する。これによって、メニューから呼び出される機能によってスピーカ１１等から出力される音が聞き難くなる事態を回避できる。一時的に無効化された音質調整機能は、スマートフォン１が再びディスプレイ２Ａの表示が消された状態に戻った場合、又は近接センサ５によって近接する物体の存在を検出した場合に有効化されてもよい。
【００７０】
スマートフォン１は、ステップＳ１１の状態で、音質調整機能を設定するためのボタンであるボタン６１ａへの操作を検出すると、着信画面６０ａを図９に示す着信画面６０ｆへ切り替える。図９は、音質調整の設定が可能に構成された着信画面の例を示す図である。着信画面６０ｆは、音質調整画面６０ｃのボタン６９が、着信に応答するためのボタン６５に置き換わった画面である。このように、着信中に着信画面６０ｆを表示することにより、利用者は、着信前に音質調整機能を設定することもできる。
【００７１】
しかしながら、着信中に画面を着信画面６０ｆへ切り替えると、画面上に配置されるボタンの数が多くなるために、迅速な応答が難しくなり、相手を待たせる時間が長くなるおそれがある。そもそも、着信前の段階では、相手の音声がどのように聞こえるかが分からないので、音質調整機能をどのように設定すべきかが分からない。さらに、表示領域６３及び６４がないため、相手が誰であるかを確認することができない。着信画面６０ｆに表示領域６３及び６４を追加することは可能であるが、その場合、着信画面６０ｆの各要素のサイズを小さくしなければならず、迅速な操作がさらに難しくなる。
【００７２】
スマートフォン１は、図５に示すステップＳ１２の状態で、音質調整機能を設定するためのボタンであるボタン６１ａへの操作を検出すると、通話画面６０ｂを音質調整画面６０ｃへ切り替える。これにより、利用者は、通話開始前に音質調整機能を設定することもできる。しかしながら、通話開始前の段階では、相手の音声がどのように聞こえるかが分からないので、音質調整機能をどのように設定すべきかが分からない。さらに、表示領域６３及び６４がないため、通話中の相手が誰であるかを確認することができない。
【００７３】
音質調整機能を有するスマートフォン１を通話中に耳から離すということは、利用者が相手の音声を聞き取りにくく、音質調整機能を利用しようとしている可能性が高い。このような場面で、スマートフォン１は、音質調整画面６０ｃを表示することにより、利用者の意図に合った画面を利用者に提供することができる。この結果、利用者による音質調整機能の有効利用が達成される。
【００７４】
さらに、このような場面では、着信画面６０ａ及び通話画面６０ｂでの表示及び通話中に聞いた音声から相手が誰であるかは十分に把握されていると期待できる。そこで、相手に関する情報を表示する表示領域６３及び６４を省略して、ボタン６８ａ、６８ｂ及び６８ｃを配置することにより、音質調整画面６０ｃをできるだけシンプルに保つことができる。これにより、音質調整機能を設定しようとしたにも関わらず、ボタン６９を操作して通話を切断してしまうというような誤操作が生じる可能性を低減できる。
【００７５】
音質調整画面６０ｃのボタン６８ａ、６８ｂ及び６８ｃと、表示領域６２との間には空き領域がある。この空き領域には、ボタン６８ａ、６８ｂ及び６８ｃのいずれかが選択された場合に、選択されたボタンに対応する機能のさらに詳細な機能を設定するためのボタンが表示される。
【００７６】
例えば、利用者が、ボタン６８ｃをタップすると、スマートフォン１は、ステップＳ１５として、音質調整画面６０ｃの空き領域にボタン７０ａ、７０ｂ、７０ｃ及び７０ｄを表示する。さらに、スマートフォン１は、ボタン６８ｃに関連するボタン７０ａ、７０ｂ、７０ｃ及び７０ｄの表示中は、それらと関連のないボタン６８ａ及び６８ｂを無効化する。そして、無効化したことを示すために、ボタン６８ａ及び６８ｂの表示態様を変更する。表示態様を変更することには、例えば、明度又は彩度を低くすること、網掛け表示又はグレー表示とすること、透明又は半透明とすること等が含まれる。
【００７７】
ボタン７０ａは、「甲高い」というラベルを有し、高音域の音量を調整する機能を有効化又は無効化するために用いられる。ボタン７０ｂは、「うるさい」というラベルを有し、中音域の音量を調整する機能を有効化又は無効化するために用いられる。ボタン７０ｃは、「こもっている」というラベルを有し、低音域の音量を調整する機能を有効化又は無効化するために用いられる。ボタン７０ｄは、「オフ」というラベルを有し、音質調整機能全体を有効化又は無効化するために用いられる。
【００７８】
このように特定の機能が選択された後に、その機能のさらに詳細な機能を設定するためのボタンを表示することにより、画面をできるだけシンプルに保ち、誤操作が生じる可能性を低減することができる。さらに、選択された機能以外の機能に対応するボタンを無効化することにより、誤操作が生じる可能性を一層低減することができる。
【００７９】
スマートフォン１は、利用者によって設定された音域調整機能に対応するアイコン６２ａを表示領域６２に表示する。利用者は、音質調整機能の設定を終了すると、再びスマートフォン１を耳に近付ける。スマートフォン１は、近接センサ５によって近接する物体の存在を検出すると、ステップＳ１６として、ディスプレイ２Ａの表示が消された状態となる。そして、スマートフォン１は、設定に従って音質を調整した音声をレシーバ７から出力する。
【００８０】
このように、スマートフォン１は、通話中にディスプレイ２Ａを再び表示する場合に、消灯前に表示していた画面に代えて、通話に関する各種の機能を設定するための画面を表示する。これにより、スマートフォン１は、利用者が必要とする場面で、通話に関する各種の機能を操作するための画面を利用者に提供することができる。この結果、スマートフォン１は、利用者が、通話に関する各種の機能を容易に活用することを可能にする。さらに、スマートフォン１は、画面をできるだけシンプルに保ち、誤操作が生じる可能性を低減することができる。
【００８１】
次に、図６を参照しながら、スマートフォン１による通話の発信に係る制御について説明する。図６は、スマートフォンによる通話の発信に係る制御の例を示す図である。
【００８２】
スマートフォン１は、通話の発信を指示する操作を検出すると、電話アプリケーション９Ｃを実行する。スマートフォン１は、電話アプリケーション９Ｃの実行により、ステップＳ２１として、発信操作のための発信画面６０ｄをタッチスクリーンディスプレイ２（ディスプレイ２Ａ）に表示する。
【００８３】
発信画面６０ｄは、ボタン６１ａ、６１ｂ、６１ｃ、６１ｄ、７２、７３及び７４と、表示領域６２と、キーパッド７１と、ダイアル表示領域７５とを含む。キーパッド７１は、少なくとも「０」から「９」の１０個の数字に対応したキーオブジェクトを含む。ボタン７２は、発信の取り消しを操作するためのボタンである。ボタン７３は、発信を実行するためのボタンである。ボタン７４は、通話履歴又は電話帳を表示するためのボタンである。ダイアル表示領域７５には、キーパッド７１を用いて入力された電話番号が表示される。
【００８４】
この例では、音域調整機能が既に有効化されているため、表示領域６２に、音域調整機能に対応するアイコン６２ａが表示されている。発信時又は着信時に、スマートフォン１は、前回の通話中に設定された音域調整機能の状態を再現してもよい。すなわち、スマートフォン１は、通話中に有効化又は無効化された機能を記憶しておき、次の通話時に記憶している情報に基づいて音域調整機能を設定してもよい。スマートフォン１は、通話中に有効化又は無効化された機能を通話の相手と対応付けて記憶しておき、その相手との通話時に、相手と対応付けて記憶している情報に基づいて音域調整機能を設定してもよい。
【００８５】
発信画面６０ｄにおいて、ボタン６１ａ、６１ｂ、６１ｃ、６１ｄは、画面の下端部の小さな領域に配置され、キーパッド７１及びボタン７３、７４は、その上方の広い領域に配置される。このため、利用者は、発信画面６０ｄにおいて最も重要な操作である番号入力及び発信を容易に実行することができる。
【００８６】
利用者は、電話番号の設定が終了すると、ボタン７３をタップする。スマートフォン１は、ボタン７３に対するタップを検出すると、ステップＳ２２として、呼び出し中を示す呼出画面６０ｅをディスプレイ２Ａに表示し、設定された電話番号に対する発信処理を行う。
【００８７】
呼出画面６０ｅは、ボタン６１ａ、６１ｂ、６１ｃ、６１ｄ及び７８と、表示領域６２、７６、及び７７とを含む。ボタン７８は、通話を切断するためのボタンである。表示領域７６には、発信相手に関する情報が表示される。表示領域７７には、呼び出し中であることを示すメッセージが表示される。図６に示す例では、発信相手がコンタクトデータ９Ｙに登録されている山田太郎さんであるものとする。この場合、スマートフォン１は、ステップＳ２２に示すように、コンタクトデータ９Ｙに登録されている山田太郎さんの画像データを表示領域７６に表示し、コンタクトデータ９Ｙに登録されている山田太郎さんの名前をメッセージの一部として表示領域７７に表示する。
【００８８】
呼出画面６０ｅにおいて、表示領域７６及び表示領域７７は、呼出画面６０ｅの領域の大きな部分を占めている。このことは、利用者が、誰を呼び出しているのかを迅速に把握することを可能にする。
【００８９】
このように、呼出画面６０ｅは、利用者が、誰を呼び出しているのかを迅速に把握し、迅速かつ確実に通話を切断することができるように、シンプルに構成されている。
【００９０】
その後、利用者は、レシーバ７から出力される相手の音声を聞くために、呼出画面６０ｅを表示しているスマートフォン１を耳に近付ける。スマートフォン１は、近接センサ５によって近接する物体の存在を検出すると、ステップＳ２４として、ディスプレイ２Ａの表示が消された状態となる。表示が消された状態中に相手が着信に応答し、通話が確立されると、スマートフォン１は通話処理を開始する。
【００９１】
ディスプレイ２Ａの表示が消された状態となる前に相手が着信に応答し、通話が確立された場合、スマートフォン１は、ステップＳ２３として、通話処理を開始し、通話画面６０ｂをディスプレイ２Ａに表示する。既に説明したように、通話画面６０ｂは、利用者が、誰と通話中であるのかを迅速に把握し、迅速かつ確実に通話を切断することができるように、シンプルに構成されている。その後、利用者がスマートフォン１を耳に近付けると、スマートフォン１は、近接センサ５によって近接する物体の存在を検出し、ステップＳ２４として、ディスプレイ２Ａの表示が消された状態となる。
【００９２】
利用者は、通話相手の音声が聞き難い場合に、音質調整機能の設定を変更する。音質調整機能の設定の変更は、画面操作を通じて行われる。利用者が画面操作のためにスマートフォン１を耳から離すと、スマートフォン１は、近接センサ５を介して近接する物体が存在しなくなったことを検出する。通話中に近接する物体が存在しなくなったことを検出した場合、ステップＳ２５として、ディスプレイ２Ａを再び表示し、タッチスクリーン２Ｂを有効化する。このとき、スマートフォン１は、通話に関連して自機を制御するための画面をディスプレイ２Ａに表示する。スマートフォン１は、通話に関連して自機を制御するための画面として、例えば、音質調整画面６０ｃをディスプレイ２Ａに表示する。
【００９３】
このように、スマートフォン１は、通話中にディスプレイ２Ａを再び表示する場合に、音質調整機能に対応するボタンを有する音質調整画面６０ｃを表示する。このように、音質調整機能に対応するボタンを画面上に表示することにより、利用者は、通話中に音質調整機能を容易に設定することができる。その結果、音質調整機能を容易に活用することが達成される。
【００９４】
例えば、利用者が、ボタン６８ｃをタップすると、スマートフォン１は、ステップＳ２６として、音質調整画面６０ｃの空き領域にボタン７０ａ、７０ｂ、７０ｃ及び７０ｄを表示する。さらに、スマートフォン１は、ボタン６８ｃに関連するボタン７０ａ、７０ｂ、７０ｃ及び７０ｄの表示中は、それらと関連のないボタン６８ａ及び６８ｂを無効化する。そして、無効化したことを示すために、ボタン６８ａ及び６８ｂの表示態様を変更する。
【００９５】
利用者は、音質調整機能の設定変更を終了すると、再びスマートフォン１を耳に近付ける。スマートフォン１は、近接センサ５によって近接する物体の存在を検出すると、ステップＳ２７として、ディスプレイ２Ａの表示が消された状態となる。そして、スマートフォン１は、設定に従って音質を調整した音声をレシーバ７から出力する。
【００９６】
このように、スマートフォン１は、通話中にディスプレイ２Ａを再び表示する場合に、ディスプレイ２Ａの表示が消される前に表示していた画面に代えて、通話に関する各種の機能を設定するための画面を表示する。これにより、スマートフォン１は、利用者が必要とする場面で、通話に関する各種の機能を操作するための画面を利用者に提供することができる。この結果、スマートフォン１は、利用者が、通話に関する各種の機能を容易に活用することを可能にする。さらに、スマートフォン１は、画面をできるだけシンプルに保ち、誤操作が生じる可能性を低減することができる。
【００９７】
図７を参照しながら、スマートフォン１による制御の処理手順について説明する。図７は、スマートフォンによる制御の処理手順の例を示すフローチャートである。図７に示す処理手順は、コントローラ１０が、制御プログラム９Ａを実行することにより実現される。図７に示す処理手順に先立って、コントローラ１０は、着信画面６０ａ又は発信画面６０ｄをディスプレイ２Ａに表示する。
【００９８】
図７に示すように、スマートフォン１のコントローラ１０は、ステップＳ１０１として、通話画面６０ｂ（又は呼出画面６０ｅ）をディスプレイ２Ａに表示させる。具体的には、コントローラ１０は、着信又は発信による通話中には、通話画面６０ｂをディスプレイ２Ａに表示させ、発信による呼出中には、呼出画面６０ｅをディスプレイ２Ａに表示させる。
【００９９】
コントローラ１０は、ステップＳ１０２として、近接する物体を検出したかを判定する。近接する物体を検出した場合（ステップＳ１０２，Ｙｅｓ）、コントローラ１０は、ステップＳ１０３に進む。コントローラ１０は、ステップＳ１０３として、ディスプレイ２Ａの表示を消させ、タッチスクリーン２Ｂを無効化させる。近接する物体を検出していない場合（ステップＳ１０２，Ｎｏ）、コントローラ１０は、ステップＳ１０３を行わない。
【０１００】
コントローラ１０は、ステップＳ１０４として、ディスプレイ２Ａの表示が再び必要かを判定する。コントローラ１０は、例えば、近接センサ５によって近接する物体の存在が検出されていない場合に、ディスプレイ２Ａの表示が再び必要であると判定する。ディスプレイ２Ａの表示が再び必要である場合（ステップＳ１０４，Ｙｅｓ）、コントローラ１０は、ステップＳ１０５に進む。コントローラ１０は、ステップＳ１０５として、ディスプレイ２Ａを再び表示させ、タッチスクリーン２Ｂを有効化させる。そして、コントローラ１０は、ステップＳ１０６として、自機を制御するための画面をディスプレイ２Ａに表示させる。ディスプレイ２Ａの表示が再び必要でない場合（ステップＳ１０４，Ｎｏ）、コントローラ１０は、ステップＳ１０５及びステップＳ１０６を行わない。
【０１０１】
コントローラ１０は、ステップＳ１０７として、操作を検出したかを判定する。コントローラ１０は、例えば、タッチスクリーン２Ｂを介して、音質調整画面６０ｃに対するジェスチャを検出した場合に、操作を検出したと判定する。操作を検出した場合（ステップＳ１０７，Ｙｅｓ）、コントローラ１０は、ステップＳ１０８に進む。コントローラ１０は、ステップＳ１０８として、検出した操作に応じた処理を実行する。例えば、コントローラ１０は、音質調整機能を有効化する操作を検出した場合に、音質調整プログラム９Ｂの提供する機能により、検出した操作に応じて、レシーバ７から出力する相手の音声の音質を調整する。操作を検出していない場合（ステップＳ１０７，Ｎｏ）、コントローラ１０は、ステップＳ１０８を行わない。
【０１０２】
コントローラ１０は、ステップＳ１０９として、終話かを判定する。具体的には、コントローラ１０は、利用者による切断の操作を検出した場合、又は通話が切断された場合に、終話と判定する。終話である場合（ステップＳ１０９，Ｙｅｓ）、コントローラ１０は、図７に示す処理手順を終了する。終話でない場合（ステップＳ１０９，Ｎｏ）、コントローラ１０は、ステップＳ１０２以降を再実行する。
【０１０３】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【０１０４】
例えば、図４に示した各プログラムは、複数のモジュールに分割されていてもよいし、他のプログラムと結合されていてもよい。
【０１０５】
上記の実施形態では、スマートフォン１は、近接する物体が近接センサ５によって検出されなくなった場合に、ディスプレイ２Ａを再び表示させる例について説明した。しかしながら、ディスプレイ２Ａを再び表示させる条件は、これに限定されない。例えば、スマートフォン１は、ボタン３Ａから３Ｆのいずれかが操作された場合に、ディスプレイ２Ａを再び表示させてもよい。スマートフォン１は、姿勢センサ（加速度センサ１５、方位センサ１６、及びジャイロスコープ１７の少なくとも１つ）の検出結果に基づいてスマートフォン１の姿勢の変化を検出した場合に、ディスプレイ２Ａを再び表示させてもよい。スマートフォン１は、コネクタ１４に接続された音出力機器が抜かれた場合に、ディスプレイ２Ａを再び表示させてもよい。スマートフォン１は、Ｂｌｕｅｔｏｏｔｈ（登録商標）等の近距離通信によって接続されていた音出力機器との接続が切断された場合に、ディスプレイ２Ａを再び表示させてもよい。音出力機器には、例えば、スピーカ、ヘッドホン、イヤホン、及びヘッドセットが含まれる。
【０１０６】
上記の実施形態では、ディスプレイ２Ａを再び表示する場合に、自機を制御するための画面として、音質調整画面６０ｃを表示する例について説明した。しかしながら、自機を制御するための画面は、これに限定されない。自機を制御するための画面は、例えば、通話の録音画面等の、音質調整以外の通話に関連する画面であってもよい。自機を制御するための画面は、記憶しているスケジュールを表示する画面等の、通話に関連しない画面であってもよい。
【０１０７】
上記の実施形態では、音質調整画面６０ｃにおいて、他の画面と同様のボタン６１ａ、６１ｂ、６１ｃ、及び６１ｄを表示する例について説明した。しかしながら、スマートフォン１は、音質調整画面６０ｃにおいて、他の画面と異なるボタンを表示してもよい。音質調整画面６０ｃにおいて、他の画面と異なるボタンを表示する例について、図８を参照しながら説明する。
【０１０８】
図８は、スマートフォンによる通話の着信に係る制御の他の例を示す図である。図８に示すステップＳ３１からステップＳ３３は、図５に示すステップＳ１１からステップＳ１３と同一であるため、説明は省略する。
【０１０９】
スマートフォン１は、ステップＳ３３の状態で、通話中に近接する物体が存在しなくなったことを検出した場合、ステップＳ３４として、ディスプレイ２Ａを再び表示し、タッチスクリーン２Ｂを有効化する。このとき、スマートフォン１は、音質調整画面６０ｃをディスプレイ２Ａに表示する。
【０１１０】
スマートフォン１は、ステップＳ３４の状態で、ボタン６８ａ、６８ｂ、及び６８ｃを含む音質調整画面６０ｃを表示しており、上記のボタン６１ａを表示する必要がない。このため、音質調整画面６０ｃは、上記のボタン６１ａの代わりに、ボタン６１ｅを含む構成となっている。ボタン６１ｅは、「戻る」というラベルを有し、音質調整画面６０ｃから通話画面６０ｂに戻るためのボタンである。
【０１１１】
スマートフォン１は、ボタン６１ｅに対するタップを検出した場合、ステップＳ３５として、通話画面６０ｂを、ディスプレイ２Ａに再び表示する。その後、スマートフォン１は、近接センサ５によって近接する物体の存在を検出すると、ステップＳ３６として、ディスプレイ２Ａの表示が消された状態となる。
【０１１２】
このように、スマートフォン１は、ディスプレイ２Ａを再び表示する場合に、通話画面６０ｂに戻る操作を行うためのボタンを含む画面を表示する。これにより、利用者は、音質調整が不要の場合に、ボタン６１ｅを操作するだけで、音質調整画面６０ｃを通話画面６０ｂに戻すことができる。
【０１１３】
図８では、「戻る」に対応したボタン６１ｅを音質調整画面６０ｃに表示する場合について説明したが、音質調整画面６０ｃに表示するボタンは、これに限定されない。例えば、スマートフォン１は、トグルボタンを音質調整画面６０ｃに表示し、操作によって複数の機能を入れ替えるようにしてもよい。
【０１１４】
上記の実施形態では、スマートフォン１は、３つのボタン６８ａ、６８ｂ、及び６８ｃを音質調整画面６０ｃに表示する場合について説明した。しかし、スマートフォン１は、レシーバ７を介した通話とは異なる他の通話形態の場合に、他の通話形態に対応して操作ボタンの表示数を変化させるように音質調整画面６０ｃを構成してもよい。他の通話形態は、例えば、スピーカフォンによる通話、接続したイヤホンによる通話、近距離無線通信を介したヘッドセットによる通話等の通話形態を含む。そして、スマートフォン１は、通話が他の通話形態であることを検出し、検出した通話形態に対応したボタンを音質調整画面６０ｃに表示する。例えば、スマートフォン１は、他の通話形態がスピーカフォンによる通話である場合、ボタン６８ａのみ、又はボタン６８ａ及び６８ｃのみを音質調整画面６０ｃに表示する。
【０１１５】
上記の実施形態では、スマートフォン１は、音質調整画面６０ｃにボタン６８ａ、６８ｂ、及び６８ｃと、ボタン６１ａ、６１ｂ、６１ｃ、及び６１ｄとを表示する場合について説明した。しかし、スマートフォン１は、音質調整画面６０ｃにボタン７０ａ、７０ｂ、７０ｃ、及び７０ｄを表示している場合に、ボタン６１ａ、６１ｂ、６１ｃ、及び６１ｄに対するジェスチャを受け付けないように構成されてもよい。
【０１１６】
スマートフォン１は、通話中にディスプレイ２Ａを表示した場合に表示するボタン及びアイコン等の種類及び表示位置を、利用者の設定に基づいて変更可能に構成されてもよい。
【０１１７】
上記の実施形態では、携帯電子機器の例として、スマートフォンについて説明したが、添付の請求項に係る携帯電子機器は、スマートフォンに限定されない。添付の請求項に係る携帯電子機器は、スマートフォン以外の通話機能を有する携帯電子機器であってもよい。通話機能を有する携帯電子機器は、例えば、モバイルフォン、タブレット、携帯型パソコン、デジタルカメラ、メディアプレイヤ、電子書籍リーダ、ナビゲータ、及びゲーム機を含むが、これらに限定されない。
【０１１８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１１９】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  音質調整プログラム
９Ｃ  電話アプリケーション
９Ｙ  コンタクトデータ
９Ｚ  設定データ
１０  コントローラ
１１  スピーカ
１２  カメラ
１３  カメラ
１４  コネクタ
１５  加速度センサ
１６  方位センサ
１７  ジャイロスコープ
２０  ハウジング
【図１】
2014229933.tif 000003
【図２】
2014229933.tif 000004
【図３】
2014229933.tif 000005
【図４】
2014229933.tif 000006
【図５】
2014229933.tif 000007
【図６】
2014229933.tif 000008
【図７】
2014229933.tif 000009
【図８】
2014229933.tif 000010
【図９】
2014229933.tif 000011